(57)【特許請求の範囲】
【請求項１】
印字ヘッドとプラテンとの間に挟装されて搬送される用紙に、入力される印字データに応じて該印字ヘッドからヘッドピンを突出させて、インクリボンを該用紙に打ちつけて印字を行う印字装置において、
前記印字ヘッドとプラテンとの間に、前記プラテンの軸方向に移動自在に設けられ、前記印字ヘッドから突出されるヘッドピンが嵌入する溝からなる刻み部が予め決められた長さに形成された刻みプレートと、
前記刻みプレートを前記印字ヘッドとプラテンとの間で前記プラテンの軸方向に移動させる刻みプレート移動手段と、
前記刻みプレート移動手段により前記刻みプレートを印字領域に移動させて、前記印字ヘッドと刻みプレートとの間に挟装されて搬送される用紙には、該印字ヘッドから突出されるヘッドピンを当該刻みプレートに打ちつけさせて該用紙に刻み印字を行う刻み印字制御手段と、
前記刻みプレート移動手段により前記刻みプレートを印字領域外に移動させて、前記印字ヘッドとプラテンとの間に挟装されて搬送される用紙には、該印字ヘッドから突出されるヘッドピンを当該プラテンに打ちつけさせて該用紙に通常印字を行う通常印字制御手段と、
を具備したことを特徴とする印字装置。
【請求項２】
前記刻み印字制御手段は、印字データを供給する外部装置から転送される印刷モード信号により印字データの印字形式が刻み印字であるかあるいは通常印字であるかを判別し、印字形式が刻み印字であると判別された場合は前記刻みプレートが前記印字領域に配置されているか否かを判別し、前記刻みプレートが印字領域に配置されていない場合は前記刻みプレートを前記印字領域に移動させることを特徴とする請求項１記載の印字装置。
【発明の詳細な説明】
【０００１】
【発明の属する技術分野】
本発明は、印字装置に係り、詳細には、刻み印字と通常印字が可能な印字装置に関する。
【０００２】
【従来の技術】
従来、手形（小切手を含む）金額を印字する機器として、改竄を防ぐために手形金額を刻み文字で印字するチェックライターと手形発行専用システムが知られている。このチェックライターには、印字機能として刻み印字専用のプリンターユニットが組み込まれており、凹凸部を設けた台に手形用紙をセットすると、ドットインパクトにより手形金額が刻み文字で印字される。
【０００３】
また、手形発行専用システムは、パーソナルコンピュータに接続されたドットインパクトプリンタに刻み印字専用プリンタが組み合わされており、パーソナルコンピュータと連動して刻み印字を行い、手形を発行する。
【０００４】
【発明が解決しようとする課題】
しかしながら、上記チェックライターでは、一枚毎に手で用紙を台にセットするため、大量の手形を発行する時にはたいへん手間がかかり、また、パーソナルコンピュータと連動していないため、手形発行時において手形発行の管理が行いにくいという問題があった。さらに、刻み文字を印字する領域は金額欄のみに限られており、数字だけを刻み文字で印字するため、支払い期日や氏名等の金額以外の改竄を防げないという問題があった。
【０００５】
また、上記手形発行専用システムでは、大量の手形を効率的に発行することが可能であり、パーソナルコンピュータと連動しているため手形発行の管理は容易であるが、印字部が汎用プリンタ部と刻み印字専用プリンタ部から構成されている手形発行専用のシステムのため、高価になるという問題があった。
【０００６】
本発明の課題は、パーソナルコンピュータに接続可能な汎用のドットインパクトプリンタのプラテンに移動自在な刻みプレートを設けることにより、通常印字と刻み印字を行うことを可能にし、また、金額以外の文字の刻み印字も可能にする安価な印字装置を提供することである。
【０００７】
【課題を解決するための手段】
請求項１記載の発明は、印字ヘッドとプラテンとの間に挟装されて搬送される用紙に、入力される印字データに応じて該印字ヘッドからヘッドピンを突出させて、インクリボンを該用紙に打ちつけて印字を行う印字装置において、前記印字ヘッドとプラテンとの間に、前記プラテンの軸方向に移動自在に設けられ、前記印字ヘッドから突出されるヘッドピンが嵌入する溝からなる刻み部が予め決められた長さに形成された刻みプレートと、前記刻みプレートを前記印字ヘッドとプラテンとの間で前記プラテンの軸方向に移動させる刻みプレート移動手段と、前記刻みプレート移動手段により前記刻みプレートを印字領域に移動させて、前記印字ヘッドと刻みプレートとの間に挟装されて搬送される用紙には、該印字ヘッドから突出されるヘッドピンを当該刻みプレートに打ちつけさせて該用紙に刻み印字を行う刻み印字制御手段と、前記刻みプレート移動手段により前記刻みプレートを印字領域外に移動させて、前記印字ヘッドとプラテンとの間に挟装されて搬送される用紙には、該印字ヘッドから突出されるヘッドピンを当該プラテンに打ちつけさせて該用紙に通常印字を行う通常印字制御手段と、を具備したことを特徴とする。
【００１３】
【発明の実施の形態】
以下、図を参照して本発明の実施の形態を詳細に説明する。
【００１４】
（第１の実施の形態）
図１〜図９は、本発明を適用したドットインパクトプリンタにおける第１の実施の形態を示す図である。
【００１５】
まず、構成を説明する。
図１は、本第１の実施の形態のドットインパクトプリンタ１の要部構成を示すブロック図である。この図１において、ドットインパクトプリンタ１は、ＣＰＵ２、入力装置３、プリンタ駆動制御部４、プリンタ駆動機構５、通信制御部６、表示装置７、ＲＡＭ８、記憶装置９及び記憶媒体１０により構成され、プリンタ駆動機構５及び記憶媒体１０を除く各部はバス１１により接続されている。
【００１６】
ＣＰＵ（Ｃｅｎｔｒａｌ  Ｐｒｏｃｅｓｓｉｎｇ  Ｕｎｉｔ）２は、記憶装置９に記憶されている当該ドットインパクトプリンタ１に対応する各種印刷制御プログラムの中から指定された印刷制御プログラム、入力装置３から入力される電源ＯＮ／ＯＦＦ信号や各種設定信号、あるいは、通信制御部６により転送される図外のパーソナルコンピュータ（ＰＣ）からの印刷モード信号をＲＡＭ８に格納し、これらの信号に応じてＲＡＭ８内に格納した印刷制御プログラムに従って各種印刷処理を実行して、通信制御部６を介して図外のパーソナルコンピュータから入力される印字データをＲＡＭ８に一時的に格納し、この印字データに従ってプリンタ駆動制御信号をプリンタ駆動制御部４に出力し、プリンタ駆動機構５を駆動制御させるとともに、その印刷モード等を表示装置７に表示する。
【００１７】
入力装置３は、電源スイッチ、プリンタモード設定スイッチ及び印刷処理に係る各種パラメータ設定スイッチ等を備え、電源ＯＮ／ＯＦＦ信号と、各種設定信号をＣＰＵ２に出力する。
【００１８】
プリンタ駆動制御部４は、ＣＰＵ２から入力されるプリンタ駆動制御信号を、プリンタ駆動機構５の後述する各機構を駆動させる駆動信号に変換し、プリンタ駆動機構５にその駆動信号を出力して、プリンタ駆動機構５の印字動作を制御する。
【００１９】
プリンタ駆動機構５は、図２に示す各駆動機構により構成され、プリンタ駆動制御部４から入力される駆動信号により各駆動機構が駆動されて、印字動作を実行する。図２（ａ）は、ドットインパクトプリンタ１のプリンタ駆動機構５の側面図であり、図２（ｂ）は、その正面図である。図２において、プリンタ駆動機構５は、主にドットインパクトヘッド２１、用紙送りローラ２２、及び、プラテン２３から構成されている。
【００２０】
ドットインパクトヘッド２１は、プラテン２３の上部に配置されており、プラテン２３とドットインパクトヘッド２１に挟まれた用紙２６に、文字をドットに分解してドットインパクトヘッド２１内の２４ピンから構成されるヘッドピンを突出させることにより、インクリボン２５を用紙２６に打ちつけて印字を行う。また、ドットインパクトヘッド２１は、印字位置に応じてヘッド送りレール２８上を移動する。
【００２１】
用紙送りローラ２２は、プラテン２３の左右の端部に配置されており、上部ローラと下部ローラにより用紙２６を圧接して挟持し、プラテン２３の回転動作に合わせて回転することにより、プラテン２３に用紙２６を送り出している。
【００２２】
プラテン２３は、ドットインパクトヘッド２１の下部に配置されており、表面にゴムをかぶせた細長いローラーで用紙２６を半周巻き付けて、摩擦力により紙送りを行う。
【００２３】
上記プラテン２３の上部には、着脱自在の刻みユニット２４（刻みプレート）が印字形式に応じて配置される。この刻みユニット２４は、刻み印字を行う時に、プラテン２３とドットインパクトヘッド２１間の、刻み印字を行う用紙２６が挿入される位置に配置され、挿入された用紙２６にドットインパクトヘッド２１によって刻み印字が行われる領域を、プラテン２３に形成するユニットである。また、通常印字を行う時には、刻みユニット２４はプラテン２３の上部から取り外されて、挿入された用紙２６にドットインパクトヘッド２１によって通常印字が行われる。図３（ａ）は、刻みユニット２４の平面図であり、図３（ｂ）は、刻みユニット２４の側面図である。刻みユニット２４は、刻み部２４１と刻み部補強部２４２からなる刻みシート２４０、及び、刻みシート取付部２４３から構成されている。
【００２４】
刻み部２４１は、刻みユニット２４の上部に挿入された用紙２６にドットインパクトヘッド２１によって刻み印字が行われるように凹凸が設けられた部分である。図３（ａ）における、この刻み部２４１の縦幅は、ドットインパクトヘッド２１の幅にマージン幅を加えた長さになるように形成され、横幅は、刻み印字を行う最大桁数に対応する幅にマージン幅を加えた長さになるように形成される。図４は、刻み部２４１の刻みの形状を示す拡大断面図である。刻み部２４１を形成する刻みの凸部の幅ｗ１、及び凹部の幅ｗ２は、それぞれドットインパクトヘッド２１のヘッドピン２１０の幅ｗ３の２倍以上になるように形成される。また、印字時のドットインパクトヘッド２１の移動におけるヘッドピン２１０の損傷防止を考慮して、凹部の深さｗ４は、０．１ｍｍ〜０．５ｍｍに、また、凹凸部の角度は、約９０度に形成することが最適である。
【００２５】
図５は、（ａ）、（ｂ）は、刻み部２４１が形成される工程を示す拡大断面図であり、図５（ｃ）は、その工程により形成された刻み部２４１の拡大平面図である。まず１つの方法として、図５（ａ）に示すように、板の一部に凹凸部を設け、別の方法として図５（ｂ）に示すように、その凹凸部のかわりに穴をあける。板の一部に凹凸部あるいは穴部を設けることにより、図５（ｃ）に示すように刻み部２４１が形成される。図６は、刻みの形状の例を示す刻み部２４１の平面図であり、図６（ａ）は縞状であり、図６（ｂ）は桝目状であり、図６（ｃ）は班点状である。この刻み部２４１の平面上の刻みの角度は、４５度が最適である。
【００２６】
刻み部補強部２４２は、刻みユニット２４の装着時及び印字時等において、刻み部２４１を補強する部分であり、刻み部２４１の下部に接着剤等によって固定される。この刻み部補強部２４２は、０．０５ｍｍ〜０．１ｍｍの薄い板、あるいは、網状の平らな物から形成され、また、刻みシート取付部２４３と一体の場合は、バネ材で形成される。
【００２７】
刻みシート取付部２４３は、刻みシート２４０を、ドットインパクトヘッド２１によって印字が行われるプラテン２３の印字領域の上部に配置させるために、プラテン２３の側面の左右上方に配置されるケース台２７に刻みシート２４０を装着させる部分であり、ケース台２７に対向する刻みシート２４０の両側面に取り付けられ、また、刻みユニット２４がケース台２７から容易に着脱されるように形成される。
【００２８】
図７（ａ）は、刻みユニット２４がケース台２７に装着された時の刻みユニット２４及びケース台２７の平面図であり、図７（ｂ）は、その装着時のプリンタ駆動機構５の側面図である。刻みシート２４０が、用紙２６を挟んでドットインパクトヘッド２１と対向し、ドットインパクトヘッド２１によって印字が行われるプラテン２３の印字領域の上部に配置されるように、刻みシート取付部２４３は、プラテン２３の側面の左右上方に配置されているケース台２７に装着されている。図７（ｂ）においては、刻みシート取付部２４３がバネ部材である場合であり、そのバネ部材をケース台２７にはめ込ませることにより刻みユニット２４がケース台２７に装着されるため、刻みユニット２４はケース台２７から容易に着脱されることが可能である。図７（ｃ）は、バネ部材の刻みシート取付部２４３によりケース台２７に刻みユニット２４が装着された時の刻みユニット２４の拡大側面図である。刻み部補強部２４２が刻みシート取付部２４３とバネ部材によって一体となっており、そのバネ部材はプラテン２３の形状に応じて円形状に変形される。
【００２９】
なお、図７（ｂ）では、刻みユニット２４がケース台２７から容易に着脱されるように、刻みシート取付部２４３がバネ部材により形成された場合を説明したが、刻みユニット２４がケース台２７に装着される方法は、刻みユニット２４がケース台２７から容易に着脱される他の装着方法、刻みユニット２４がケース台２７に固定される装着方法、あるいは、刻みシート取付部２４３の一方のみがケース台２７に固定される装着方法であっても構わない。
【００３０】
図８及び図９に、他の装着方法により、刻みユニット２４がケース台２７に装着された時のプリンタ駆動機構５の側面図を示す。図８（ａ）は、刻みシート取付部２４３とケース台２７をテープ８０により貼り付ける装着方法の場合である。図８（ｂ）は、刻みシート取付部２４３とケース台２７との接着面に接着剤８１等の溶剤を塗布して、刻みシート取付部２４３とケース台２７とを接着させる装着方法の場合である。図８（ａ）において、刻みユニット２４はケース台２７から容易に着脱されることが可能である。図９（ａ）は、刻みシート取付部２４３とケース台２７をネジ８２等により固定させる装着方法の場合である。図９（ｂ）は、刻みシート取付部２４３の一方をケース台２７にネジ８２等により固定させ、他方の刻みシート取付部２４３をバネ部材とし、そのバネ部材をケース台２７にはめ込ませる装着方法の場合である。さらに、その他の装着方法として、刻みシート取付部２４３の一方をテープ８０によりケース台２７に貼り付けて、他方をネジ８２等によりケース台２７に固定させる方法等、様々な装着方法が可能である。
【００３１】
通信制御部６は、図外のパーソナルコンピュータと通信回線を介して接続し、パーソナルコンピュータから各種設定により入力される印刷モード信号等をＣＰＵ２に転送するとともに、自己の印刷処理状態を示す信号等をパーソナルコンピュータに出力する。
【００３２】
表示装置７は、液晶表示装置などにより構成され、ＣＰＵ２から入力される表示データを表示する。
【００３３】
ＲＡＭ（Ｒａｎｄｏｍ  Ａｃｃｅｓｓ  Ｍｅｍｏｒｙ）８は、ＣＰＵ２により処理されるプログラムや信号を一時的に格納するメモリエリアを形成するとともに、印字データを一時的に格納する印字バッファを形成する。
【００３４】
記憶装置９は、プログラムやデータなどが予め記憶されている記憶媒体１０を有しており、この記憶媒体１０は、磁気的、光学的記憶媒体、若しくは半導体メモリで構成されている。この記憶媒体１０は記憶装置９に固定的に設けたもの、若しくは着脱自在に装着するものであり、この記憶媒体１０には当該ドットインパクトプリンタ１に対応する各種印刷制御プログラム及び各種印刷制御プログラムで処理される印字データなどを記憶する。
【００３５】
次に、本第１の実施の形態のドットインパクトプリンタ１の動作における、図１のＣＰＵ２により実行される通常印字及び刻み印字処理１を説明する。
【００３６】
まず、刻み印字を行う場合は、ドットインパクトヘッド２１によって印字が行われるプラテン２３の印字領域の上部に刻みシート２４０が配置されるように、刻みユニット２４が、刻みシート取付部２４３によってプラテン２３の側面の左右上方に配置されるケース台２７に取り付けられる。また、通常印字を行う場合は、ドットインパクトヘッド２１によって印字が行われるプラテン２３の印字領域の上部から、刻みユニット２４が取り外される。
【００３７】
そして、通信回線を介して接続されたパーソナルコンピュータにより印刷モードが設定されると、その設定が印刷モード信号として通信制御部６に入力され、ＣＰＵ２に転送される。ＣＰＵ２は、この印刷モード信号に応じてＲＡＭ８内に格納される印刷制御プログラムに従って印刷処理を実行して、通信制御部６を介してパーソナルコンピュータから入力される印字データをＲＡＭ８内の印字バッファにセットする。
【００３８】
この印字データをセットした後、ＣＰＵ２は、一連の印字動作を制御するプリンタ駆動制御信号をプリンタ駆動制御部４に出力して、プリンタ駆動制御部４によるプリンタ駆動機構５の駆動制御を開始させ、プリンタ駆動機構５における一連の印字動作を開始させる。プリンタ駆動機構５では、プリンタ駆動制御部４から入力される駆動信号により、用紙送りローラ２２を回転させて給紙位置にセットされた用紙２６をプラテン２３の印字領域へ搬送させる。
【００３９】
次いで、ＣＰＵ２は、ＲＡＭ８内の印字バッファにセットした印字データに従って、プリンタ駆動制御信号をプリンタ駆動制御部４に出力して、プリンタ駆動制御部４によりプリンタ駆動機構５を駆動制御させ、用紙送りローラ２２によりプラテン２３の印字領域に搬送される用紙２６に印字処理を行わせる。
【００４０】
この印字処理において、ＣＰＵ２は、前記プラテン２３の印字領域の上部に刻みユニット２４が配置された場合には、そのプラテン２３の印字領域に挿入された用紙２６に、ドットインパクトヘッド２１によって刻み印字処理を行わせる。また、前記プラテン２３の印字領域の上部から刻みユニット２４が取り除かれた場合には、そのプラテン２３の印字領域に挿入された用紙２６に、ドットインパクトヘッド２１によって通常印字処理を行わせる。
【００４１】
なお、本第１の実施の形態において、さらに、プラテン２３の印字領域の上部における刻みユニット２４の有無を検出するセンサ部を設けることにより、先にパーソナルコンピュータにより設定され通信回線を介して入力された所望の印字形式に応じて、前記センサ部による検出結果から、刻みユニット２４の着脱を促す処理を行うことも可能である。
【００４２】
以上のように、本第１の実施の形態のドットインパクトプリンタ１では、パーソナルコンピュータに接続され、プラテン２３の印字領域の上部に着脱自在の刻みユニット２４が設けられ、刻み印字を行う時には、ドットインパクトヘッド２１によって印字が行われるプラテン２３の印字領域の上部に前記刻みユニット２４を配置させて、また、通常印字を行う時には、ドットインパクトヘッド２１によって印字が行われるプラテン２３の印字領域の上部から前記刻みユニット２４を取り除かせるようにしたため、プラテン２３の印字領域の上部における刻みユニット２４の印字形式に応じた着脱により、そのプラテン２３の印字領域に挿入された用紙２６に刻み印字及び通常印字を容易に行うことができる。
【００４３】
したがって、パーソナルコンピュータに接続可能な汎用のドットインパクトプリンタにおいて、プラテンの印字領域の上部における刻みユニットの印字形式に応じた着脱により、通常印字及び刻み印字を容易に行うことができ、金額以外の文字も刻み印字が可能となり改竄を防ぐことができる。
【００４４】
（第２の実施の形態）
第１の実施の形態では、パーソナルコンピュータに接続され、プラテン２３の印字領域の上部に着脱自在の刻みユニット２４が設けられ、刻み印字を行う時には、ドットインパクトヘッド２１によって印字が行われるプラテン２３の印字領域の上部に前記刻みユニット２４を配置させて、その印字領域に挿入された用紙２６に刻み印字を行わせ、また、通常印字を行う時には、ドットインパクトヘッド２１によって印字が行われるプラテン２３の印字領域の上部から前記刻みユニット２４を取り除いて、その印字領域に挿入された用紙２６に通常印字を行わせるようにしたが、この刻みユニットを印字形式に応じてプラテン２３の上部において移動させることが有効である。
【００４５】
第２の実施の形態では、刻みユニットに接続されたモータ部を、モータ駆動制御部によって駆動制御することにより、刻み印字を行う時には、前記刻みユニットをプラテン２３の印字領域の上部へ移動させて、また、通常印字を行う時には、前記刻みユニットをプラテン２３の印字領域の上部以外の位置へ移動させることが可能なドットインパクトプリンタについて説明する。
【００４６】
図１０〜図１２は、本発明を適用したドットインパクトプリンタにおける第２の実施の形態を示す図である。
【００４７】
まず、構成を説明する。
図１０は、本第２の実施の形態のドットインパクトプリンタ２０１の要部構成を示すブロック図である。なお、同図において、第１の実施の形態におけるドットインパクトプリンタ１の要部構成（図１参照）と同一の構成要素には同一符号を付し、説明は省略するものとする。
【００４８】
図１０においてドットインパクトプリンタ２０１は、前記図１に示した入力装置３、プリンタ駆動制御部４、通信制御部６、表示装置７、ＲＡＭ８、及び記憶装置９と、ＣＰＵ２０２、プリンタ駆動機構２０５、モータ駆動制御部２１２、モータ部２１３、センサ部２１４、及び記憶媒体２１０とにより構成され、プリンタ駆動機構２０５、モータ部２１３、及び記憶媒体２１０を除く各部はバス１１により接続されている。
【００４９】
ＣＰＵ２０２は、記憶装置９に記憶されている当該ドットインパクトプリンタ２０１に対応する各種印刷制御プログラムの中から指定された印刷制御プログラム、入力装置３から入力される電源ＯＮ／ＯＦＦ信号や各種設定信号、センサ部２１４から入力される刻みユニット検出信号、あるいは、通信制御部６により転送される図外のパーソナルコンピュータ（ＰＣ）からの印刷モード信号をＲＡＭ８に格納し、これらの信号に応じてＲＡＭ８内に格納した印刷制御プログラムに従って各種印刷処理を実行して、通信制御部６を介して図外のパーソナルコンピュータから入力される印字データをＲＡＭ８に一時的に格納し、刻みユニット検出信号に応じたモータ駆動制御信号をモータ駆動制御部２１２に出力し、モータ部２１３を駆動制御させた後、前記印字データに従ってプリンタ駆動制御信号をプリンタ駆動制御部４に出力し、プリンタ駆動機構２０５を駆動制御させるとともに、その印刷モード等を表示装置７に表示する。
【００５０】
プリンタ駆動機構２０５は、図１１に示す各駆動機構により構成され、プリンタ駆動制御部４から入力される駆動信号により各駆動機構が駆動されて、印字動作を実行する。図１１は、ドットインパクトプリンタ２０１のプリンタ駆動機構２０５、及び、後述するモータ部２１３の側面図である。なお、同図において、第１の実施の形態におけるプリンタ駆動機構５の要部構成（図２（ｂ）参照）と同一の構成要素には同一符号を付し、説明は省略するものとする。図１１において、プリンタ駆動機構２０５は、主にドットインパクトヘッド２１、用紙送りローラ２２、及びプラテン２３から構成されている。
【００５１】
このプラテン２３の上部には、移動自在の刻みユニット２２４が配置される。刻みユニット２２４は、図示しないが、第１の実施の形態における刻みユニット２４と同様に、刻み部２４１と刻み補強部２４２からなる刻みシート２４０、及び刻みシート取付部２４３から構成されている。第１の実施の形態においては、刻みシート取付部２４３は、ケース台２７に着脱自在に装着されたが、第２の実施の形態においては、後述するモータ部２１３の刻みユニットレール２３１に移動自在に装着され、刻みユニット２２４は、歯車２３０Ａ、２３０Ｂにワイヤ等により接続されて、モータ駆動制御部２１２により駆動制御されるモータ部２１３の駆動によってプラテン２３の上部の刻みユニットレール２３１上を移動する。
【００５２】
モータ駆動制御部２１２は、センサ部２１４からＣＰＵ２０２に入力される刻みユニット検出信号に応じて、ＣＰＵ２０２から入力されるモータ駆動制御信号を、モータ部２１３の後述する各モータを駆動させる駆動信号に変換し、モータ部２１３にその駆動信号を出力して、モータ部２１３の駆動動作を制御する。
【００５３】
モータ部２１３は、図１１に示すモータ２２９Ａ、モータ２２９Ｂ、歯車２３０Ａ、歯車２３０Ｂ、及び刻みユニットレール２３１から構成される。モータ２２９Ａとモータ２２９Ｂは、プリンタ駆動機構２０５の左右にそれぞれ配置されており、各モータは歯車２３０Ａ及び２３０Ｂと連動している。また、歯車２３０Ａと２３０Ｂは、ワイヤ等によって、刻みユニットレール２３１上の刻みユニット２２４に接続されている。この刻みユニットレール２３１は、プラテン２３の上部に配置され、プラテン２３の上部における刻みユニット２２４の左右の移動を導くためのレールである。
【００５４】
モータ２２９Ａは、パーソナルコンピュータから通信回線を介してＣＰＵ２０２に入力される印刷モード信号が刻み印字の場合において、センサ部２１４からＣＰＵ２０２に入力される刻みユニット検出信号により、プラテン２３の印字領域の上部に刻みユニット２２４が配置されていないと判別された時に、モータ駆動制御部２１２から入力される駆動信号により駆動されて、歯車２３０Ａを回転させ、刻みユニット２２４を前記印字領域の上部まで移動させる。
【００５５】
また、モータ２２９Ｂは、パーソナルコンピュータから通信回線を介してＣＰＵ２０２に入力される印刷モード信号が通常印字の場合において、センサ部２１４からＣＰＵ２０２に入力される刻みユニット検出信号により、プラテン２３の印字領域の上部に刻みユニット２２４が配置されていると判別された時に、モータ駆動制御部２１２から入力される駆動信号により駆動されて、歯車２３０Ｂを回転させ、刻みユニット２２４を前記印字領域の上部以外の位置まで移動させる。
【００５６】
センサ部２１４は、ドットインパクトヘッド２１によって印字が行われるプラテン２３の印字領域の上部における、刻みユニット２２４の有無を検出し、刻みユニット検出信号をＣＰＵ２０２に出力する。
【００５７】
記憶媒体２１０は、磁気的、光学的記憶媒体、若しくは半導体メモリで構成されており、記憶装置９に固定的に設けたもの、若しくは着脱自在に装着するものであり、この記憶媒体２１０には、当該ドットインパクトプリンタ２０１に対応する各種印刷制御プログラム、モータ駆動制御プログラム、及び、各種印刷制御プログラムで処理される印字データ等を記憶する。
【００５８】
次に、本第２の実施の形態のドットインパクトプリンタ２０１の動作を説明する。上記ＣＰＵ２０２により実行される通常印字及び刻み印字処理２について図１２に示すフローチャートに基づいて説明する。
【００５９】
図１２において、まず、通信回線を介して接続されたパーソナルコンピュータにより印字形式等の印刷モードが設定されると、その設定が印刷モード信号として通信制御部６に入力され、ＣＰＵ２０２に転送される。ＣＰＵ２０２は、この印刷モード信号に応じてＲＡＭ８内に格納される印刷制御プログラムに従って印刷処理を実行して、通信制御部６を介してパーソナルコンピュータから入力される印字データをＲＡＭ８内の印字バッファにセットする（ステップＳ１）。
【００６０】
次いで、ＣＰＵ２０２は、前記転送された印刷モード信号において、印字形式が刻み印字であるか否かを判別する（ステップＳ２）。印字形式が刻み印字である場合は、センサ部２１４から入力される刻みユニット検出信号に基づいて、ドットインパクトヘッド２１によって印字が行われるプラテン２３の印字領域に、刻みユニット２２４が配置されているか否かを判別し（ステップＳ３）、配置されている場合は、ステップＳ７に移行する。また、刻みユニット２２４が印字領域に配置されていない場合は、モータ駆動動作を制御するモータ駆動制御信号をモータ駆動制御部２１２に出力して、モータ駆動制御部２１２によりモータ部２１３を駆動制御させる。そして、このモータ駆動制御部２１２から入力される駆動信号によってモータ２２９Ａを駆動させ、モータ２２９Ａに連動される歯車２３０Ａを回転させて、刻みユニット２２４を前記印字領域の上部まで移動させ（ステップＳ４）、ステップＳ７に移行する。
【００６１】
ステップＳ２において印字形式が刻み印字でない場合、すなわち、通常印字である場合は、センサ部２１４から入力される刻みユニット検出信号に基づいて、ドットインパクトヘッド２１によって印字が行われるプラテン２３の印字領域に、刻みユニット２２４が配置されているか否かを判別し（ステップＳ５）、配置されていない場合は、ステップＳ７に移行する。また、刻みユニット２２４が印字領域に配置されている場合は、モータ駆動動作を制御するモータ駆動制御信号をモータ駆動制御部２１２に出力して、モータ駆動制御部２１２によりモータ部２１３を駆動制御させる。そして、このモータ駆動制御部２１２から入力される駆動信号によってモータ２２９Ｂを駆動させ、モータ２２９Ｂに連動される歯車２３０Ｂを回転させて、刻みユニット２２４を前記印字領域の上部以外の位置まで移動させ（ステップＳ６）、ステップＳ７に移行する。
【００６２】
そして、ステップＳ７において、ＣＰＵ２０２は、一連の印字動作を制御するプリンタ駆動制御信号をプリンタ駆動制御部４に出力して、プリンタ駆動制御部４によるプリンタ駆動機構２０５の駆動制御を開始させ、プリンタ駆動機構２０５における一連の印字動作を開始させる。プリンタ駆動機構２０５では、プリンタ駆動制御部４から入力される駆動信号により、用紙送りローラ２２を回転させて給紙位置にセットされた用紙２６をプラテン２３の印字領域へ搬送させる。次いで、ＣＰＵ２０２は、ＲＡＭ８内の印字バッファにセットした印字データに従って、プリンタ駆動制御信号をプリンタ駆動制御部４に出力して、プリンタ駆動制御部４によりプリンタ駆動機構２０５を駆動制御させ、用紙送りローラ２２によりプラテン２３の印字領域に搬送される用紙２６に印字処理を行わせる。
【００６３】
この印字処理において、ＣＰＵ２０２は、前記プラテン２３の印字領域の上部に刻みユニット２２４が配置された場合には、そのプラテン２３の印字領域に挿入された用紙２６に、ドットインパクトヘッド２１によって刻み印字処理を行わせる。また、前記プラテン２３の印字領域の上部以外の位置に刻みユニット２２４が配置された場合には、そのプラテン２３の印字領域に挿入された用紙２６に、ドットインパクトヘッド２１によって通常印字処理を行わせる。
【００６４】
なお、第２の実施の形態においては、刻みユニット２２４に接続されたモータ部２１３をモータ駆動制御部２１２によって駆動制御することにより、刻みユニット２２４をプラテン２３の上部の刻みユニットレール２３１上において移動させるようにしたが、刻みユニット２２４にワイヤ等によって接続された歯車２３０Ａ、２３０Ｂを手動で回転させて、刻みユニット２２４をプラテン２３の上部の刻みユニットレール２３１上において移動させるようにすることも可能である。
【００６５】
以上のように、本第２の実施の形態のドットインパクトプリンタ２０１では、パーソナルコンピュータに接続され、プラテン２３の上部において移動自在の刻みユニット２２４が設けられ、その刻みユニット２２４に接続されたモータ部２１３をモータ駆動制御部２１２によって駆動制御することにより、刻み印字を行う時には、前記刻みユニット２２４をプラテン２３の印字領域の上部へ移動させて、また、通常印字を行う時には、前記刻みユニット２２４をプラテン２３の印字領域の上部以外の位置へ移動させるようにしたため、プラテン２３の上部において刻みユニット２２４を印字形式に応じて移動させることにより、そのプラテン２３の印字領域に挿入された用紙２６に刻み印字及び通常印字を容易に行うことができる。
【００６６】
したがって、パーソナルコンピュータに接続可能な汎用のドットインパクトプリンタにおいて、プラテンの上部における刻みユニットの印字形式に応じた移動により、通常印字と刻み印字を容易に行うことができ、金額以外の文字も刻み印字が可能となり、改竄を防ぐことができる。
【００６７】
（第３の実施の形態）
第１及び第２の実施の形態では、パーソナルコンピュータに接続され、プラテン２３の印字領域の上部に着脱自在、あるいは、移動自在の刻みユニットが設けられ、刻み印字を行う時には、ドットインパクトヘッド２１によって印字が行われるプラテン２３の印字領域の上部に前記刻みユニットを配置させて、その印字領域に挿入された用紙２６に刻み印字を行わせ、また、通常印字を行う時には、ドットインパクトヘッド２１によって印字が行われるプラテン２３の印字領域の上部から前記刻みユニットを取り除いて、その印字領域に挿入された用紙２６に通常印字を行わせるようにしたが、刻み印字領域が設けられたプラテンの上部に配置させるカバーユニットの着脱により、刻み印字及び通常印字を行うことを可能にすることが有効である。
【００６８】
第３の実施の形態では、プラテンに刻み印字領域が形成され、その刻み印字領域の上部に着脱自在のカバーユニットが設けられ、通常印字を行う時には、前記カバーユニットをプラテンの刻み印字領域の上部に配置させて、また、刻み印字を行う時には、前記カバーユニットをプラテンの刻み印字領域の上部から取り除かせることが可能なドットインパクトプリンタについて説明する。
【００６９】
図１３〜図１６は、本発明を適用したドットインパクトプリンタの第３の実施の形態を示す図である。
【００７０】
まず、構成を説明する。
図１３は、本第３の実施の形態のドットインパクトプリンタ３０１の要部構成を示すブロック図である。なお、同図において、第１の実施の形態におけるドットインパクトプリンタ１の要部構成（図１参照）と同一の構成要素には同一符号を付し、説明は省略するものとする。
【００７１】
図１３においてドットインパクトプリンタ３０１は、前記図１に示した、ＣＰＵ２、入力装置３、プリンタ駆動制御部４、通信制御部６、表示装置７、ＲＡＭ８、記憶装置９、及び記憶媒体１０と、プリンタ駆動機構３０５とにより構成され、プリンタ駆動機構３０５及び記憶媒体１０を除く各部はバス１１により接続されている。
【００７２】
プリンタ駆動機構３０５は、図１４に示す各駆動機構により構成され、プリンタ駆動制御部４から入力される駆動信号により各駆動機構が駆動されて、印字動作を実行する。図１４（ａ）は、ドットインパクトプリンタ３０１のプリンタ駆動機構３０５の側面図であり、図１４（ｂ）は、その正面図である。なお、同図において、第１の実施の形態におけるプリンタ駆動機構５の内部構成（図２参照）と同一の構成要素には同一符号を付し、説明は省略するものとする。図１４において、プリンタ駆動機構３０５は、主にドットインパクトヘッド２１及び用紙送りローラ２２と、プラテン３２３から構成されている。
【００７３】
プラテン３２３は、ドットインパクトヘッド２１の下部に配置されており、表面にゴムをかぶせた細長いローラーで用紙２６を半周巻き付けて、摩擦力により紙送りを行う。このプラテン３２３には、刻み印字領域３２３ａが設けられている。この刻み印字領域３２３ａは、その上部に挿入された用紙２６にドットインパクトヘッド２１によって刻み印字が行われる領域であり、表面には、プラテン３２３の円周方向に対して所定の角度を有する螺旋形の溝が形成されている。
【００７４】
上記プラテン３２３の刻み印字領域３２３ａの上部には、着脱自在のカバーユニット３２４（覆い部材）が印字形式に応じて配置される。このカバーユニット３２４は、通常印字を行う時に、刻み印字領域３２３ａとドットインパクトヘッド２１間の、通常印字を行う用紙２６が挿入される位置に配置され、挿入された用紙２６にドットインパクトヘッド２１によって通常印字が行われる領域を、プラテン３２３に形成するユニットである。また、刻み印字を行う時には、カバーユニット３２４は刻み印字領域３２３ａの上部から取り外されて、挿入された用紙２６にドットインパクトヘッド２１によって刻み印字が行われる。図１５（ａ）は、カバーユニット３２４の平面図であり、図１５（ｂ）は、カバーユニット３２４の側面図である。カバーユニット３２４は、カバーシート３２４０及びカバーシート取付部３２４１から構成されている。
【００７５】
カバーシート３２４０は、カバーユニット３２４の上部に挿入された用紙２６にドットインパクトヘッド２１によって通常印字が行われるように、平らな薄い板状の形状により形成されている。
【００７６】
カバーシート取付部３２４１は、カバーシート３２４０を、ドットインパクトヘッド２１によって印字が行われるプラテン３２３の刻み印字領域３２３ａの上部に配置させるために、プラテン３２３の側面の左右上方に配置されるケース台２７にカバーシート３２４０を装着させる部分であり、ケース台２７に対向するカバーシート３２４０の両側面に取り付けられ、また、カバーユニット３２４がケース台２７から容易に着脱されるように形成される。
【００７７】
図１６は、カバーユニット３２４がケース台２７に装着された時のプリンタ駆動機構３０５の側面図である。カバーシート３２４０が、用紙２６を挟んでドットインパクトヘッド２１と対向し、ドットインパクトヘッド２１によって印字が行われるプラテン３２３の刻み印字領域３２３ａの上部に配置されるように、カバーシート取付部３２４１は、プラテン３２３の側面の左右上方に配置されているケース台２７に装着されている。図１６においては、カバーシート取付部３２４１がバネ部材である場合であり、そのバネ部材をケース台２７にはめ込ませることによりカバーユニット３２４がケース台２７に装着されるため、カバーユニット３２４はケース台２７から容易に着脱されることが可能である。
【００７８】
なお、カバーユニット３２４がケース台２７に装着される方法は、上記第１の実施の形態における刻みユニット２４がケース台２７に装着される方法と同様に、様々な装着方法が可能であり、すなわち、カバーユニット３２４がケース台２７から容易に着脱される他の装着方法、カバーユニット３２４がケース台２７に固定される装着方法、あるいは、カバーシート取付部３２４１の一方のみがケース台２７に固定される装着方法であっても構わない。
【００７９】
次に、本第３の実施の形態のドットインパクトプリンタ３０１の動作における、図１３のＣＰＵ２により実行される通常印字及び刻み印字処理３を説明する。
【００８０】
まず、通常印字を行う場合は、ドットインパクトヘッド２１によって印字が行われるプラテン３２３の刻み印字領域３２３ａの上部にカバーシート３２４０が配置されるように、カバーユニット３２４が、刻みシート取付部３２４１によってプラテン３２３の側面の左右上方に配置されるケース台２７に取り付けられる。また、刻み印字を行う場合は、ドットインパクトヘッド２１によって印字が行われるプラテン３２３の刻み印字領域３２３ａの上部から、カバーユニット３２４が取り外される。
【００８１】
そして、ＣＰＵ２は、上記第１の実施の形態において述べた通常印字及び刻み印字処理１における印字データセット処理、印字動作処理、及び印字処理と同様の処理を行う。
【００８２】
この印字処理において、ＣＰＵ２は、前記プラテン３２３の刻み印字領域３２３ａの上部にカバーユニット３２４が配置された場合には、そのプラテン３２３の刻み印字領域３２３ａに挿入された用紙２６に、ドットインパクトヘッド２１によって通常印字処理を行わせる。また、前記プラテン３２３の刻み印字領域３２３ａの上部からカバーユニット３２４が取り除かれた場合には、そのプラテン３２３の刻み印字領域３２３ａに挿入された用紙２６に、ドットインパクトヘッド２１によって刻み印字処理を行わせる。
【００８３】
なお、本第３の実施の形態において、さらに、プラテン３２３の刻み印字領域３２３ａの上部におけるカバーユニット３２４の有無を検出するセンサ部を設けることにより、先にパーソナルコンピュータにより設定され通信回線を介して入力された所望の印字形式に応じて、前記センサ部による検出結果から、カバーユニット３２４の着脱を促す処理を行うことも可能である。
【００８４】
以上のように、本第３の実施の形態のドットインパクトプリンタ３０１では、パーソナルコンピュータに接続され、プラテン３２３に刻み印字領域３２３ａが形成され、その刻み印字領域３２３ａの上部に着脱自在のカバーユニット３２４が設けられ、通常印字を行う時には、ドットインパクトヘッド２１によって印字が行われるプラテン３２３の刻み印字領域３２３ａの上部に前記カバーユニット３２４を配置させて、また、刻み印字を行う時には、ドットインパクトヘッド２１によって印字が行われるプラテン３２３の刻み印字領域３２３ａの上部から前記カバーユニット３２４を取り除かせるようにしたため、プラテン３２３の刻み印字領域３２３ａの上部におけるカバーユニット３２４の印字形式に応じた着脱により、そのプラテン３２３の刻み印字領域３２３ａに挿入された用紙２６に刻み印字及び通常印字を容易に行うことができる。
【００８５】
したがって、パーソナルコンピュータに接続可能な汎用のドットインパクトプリンタにおいて、刻み印字領域が設けられたプラテンの上部におけるカバーユニットの印字形式に応じた着脱により、通常印字及び刻み印字を容易に行うことができ、金額以外の文字も刻み印字が可能となり改竄を防ぐことができる。
【００８６】
（第４の実施の形態）
第３の実施の形態では、パーソナルコンピュータに接続され、プラテン３２３に刻み印字領域３２３ａが形成され、その刻み印字領域３２３ａの上部に着脱自在のカバーユニット３２４が設けられ、通常印字を行う時には、ドットインパクトヘッド２１によって印字が行われるプラテン３２３の刻み印字領域３２３ａの上部に前記カバーユニット３２４を配置させて、また、刻み印字を行う時には、ドットインパクトヘッド２１によって印字が行われるプラテン３２３の刻み印字領域３２３ａの上部から前記カバーユニット３２４を取り除かせるようにしたが、このカバーユニットを刻み印字領域３２３ａが設けられたプラテン３２３の上部において印字形式に応じて移動させることが有効である。
【００８７】
第４の実施の形態では、カバーユニットに接続されたモータ部を、モータ駆動制御部によって駆動制御することにより、通常印字を行う時には、前記カバーユニットをプラテン３２３の刻み印字領域３２３ａの上部へ移動させて、また、刻み印字を行う時には、前記カバーユニットをプラテン３２３の刻み印字領域３２３ａの上部以外の位置へ移動させることが可能なドットインパクトプリンタについて説明する。
【００８８】
図１７〜図１９は、本発明を適用したドットインパクトプリンタにおける第４の実施の形態を示す図である。
【００８９】
まず、構成を説明する。
図１７は、本第４の実施の形態のドットインパクトプリンタ４０１の要部構成を示すブロック図である。なお、同図において、第２の実施の形態におけるドットインパクトプリンタ２０１の要部構成（図１０参照）と同一の構成要素には同一符号を付し、説明は省略するものとする。
【００９０】
図１７においてドットインパクトプリンタ４０１は、前記図１０に示したＣＰＵ２０２、入力装置３、プリンタ駆動制御部４、通信制御部６、表示装置７、ＲＡＭ８、記憶装置９、及び記憶媒体２１０と、プリンタ駆動機構４０５、モータ駆動制御部４１２、モータ部４１３、及びセンサ部４１４とにより構成され、プリンタ駆動機構４０５、モータ部４１３、及び記憶媒体２１０を除く各部はバス１１により接続されている。
【００９１】
プリンタ駆動機構４０５は、図１８に示す各駆動機構により構成され、プリンタ駆動制御部４から入力される駆動信号により各駆動機構が駆動されて、印字動作を実行する。図１８は、ドットインパクトプリンタ４０１のプリンタ駆動機構４０５、及び、後述するモータ部４１３の側面図である。なお、同図において、第３の実施の形態におけるプリンタ駆動機構３０５の要部構成（図１４（ｂ）参照）と同一の構成要素には同一符号を付し、説明は省略するものとする。図１８において、プリンタ駆動機構４０５は、主に、ドットインパクトプリンタ２１、用紙送りローラ２２、及びプラテン３２３から構成されている。
【００９２】
このプラテン３２３の刻み印字領域３２３ａの上部には、移動自在のカバーユニット４２４が配置される。カバーユニット４２４は、図示しないが、第３の実施の形態におけるカバーユニット３２４と同様に、カバーシート３２４０及びカバーシート取付部３２４１から構成されている。第３の実施の形態においては、カバーシート取付部３２４１は、ケース台２７に着脱自在に装着されたが、第４の実施の形態においては、後述するモータ部４１３のカバーユニットレール４３１に移動自在に装着され、カバーユニット４２４は、歯車４３０Ａ、４３０Ｂにワイヤ等により接続され、モータ駆動制御部４１２により駆動制御されるモータ部４１３の駆動によってプラテン３２３の上部のカバーユニットレール４３１上を移動する。
【００９３】
モータ駆動制御部４１２は、センサ部４１４からＣＰＵ２０２に入力されるカバーユニット検出信号に応じて、ＣＰＵ２０２から入力されるモータ駆動制御信号を、モータ部４１３の後述する各モータを駆動させる駆動信号に変換し、モータ部４１３にその駆動信号を出力して、モータ部４１３の駆動動作を制御する。
【００９４】
モータ部４１３は、図１８に示すモータ４２９Ａ、モータ４２９Ｂ、歯車４３０Ａ、歯車４３０Ｂ、及びカバーユニットレール４３１から構成される。モータ４２９Ａとモータ４２９Ｂは、プリンタ駆動機構４０５の左右にそれぞれ配置されており、各モータは歯車４３０Ａ及び４３０Ｂと連動している。また、歯車４３０Ａと４３０Ｂは、ワイヤ等によって、カバーユニットレール４３１上のカバーユニット４２４に接続されている。このカバーユニットレール４３１は、プラテン３２３の上部に配置され、プラテン３２３の上部におけるカバーユニット４２４の左右の移動を導くためのレールである。
【００９５】
モータ４２９Ａは、パーソナルコンピュータから通信回線を介してＣＰＵ２０２に入力される印刷モード信号が通常印字の場合において、センサ部４１４からＣＰＵ２０２に入力されるカバーユニット検出信号により、プラテン３２３の刻み印字領域３２３ａの上部にカバーユニット４２４が配置されていないと判別された時に、モータ駆動制御部４１２から入力される駆動信号により駆動されて、歯車４３０Ａを回転させ、カバーユニット４２４を前記刻み印字領域３２３ａの上部まで移動させる。
【００９６】
また、モータ４２９Ｂは、パーソナルコンピュータから通信回線を介してＣＰＵ２０２に入力される印刷モード信号が刻み印字の場合において、センサ部４１４からＣＰＵ２０２に入力されるカバーユニット検出信号により、プラテン３２３の刻み印字領域３２３ａの上部にカバーユニット４２４が配置されていると判別された時に、モータ駆動制御部４１２から入力される駆動信号により駆動されて、歯車４３０Ｂを回転させ、カバーユニット４２４を前記刻み印字領域３２３ａの上部以外の位置まで移動させる。
【００９７】
センサ部４１４は、ドットインパクトヘッド２１によって印字が行われるプラテン３２３の刻み印字領域３２３ａの上部における、カバーユニット４２４の有無を検出し、カバーユニット検出信号をＣＰＵ２０２に出力する。
【００９８】
次に、本第４の実施の形態のドットインパクトプリンタ４０１の動作を説明する。上記ＣＰＵ２０２により実行される通常印字及び刻み印字処理４について図１９に示すフローチャートに基づいて説明する。
【００９９】
図１９において、まず、通信回線を介して接続されたパーソナルコンピュータにより印字形式等の印刷モードが設定されると、その設定が印刷モード信号として通信制御部６に入力され、ＣＰＵ２０２に転送される。ＣＰＵ２０２は、この印刷モード信号に応じてＲＡＭ８内に格納される印刷制御プログラムに従って印刷処理を実行して、通信制御部６を介してパーソナルコンピュータから入力される印字データをＲＡＭ８内の印字バッファにセットする（ステップＳ１１）。
【０１００】
次いで、ＣＰＵ２０２は、前記転送された印刷モード信号において、印字形式が刻み印字であるか否かを判別する（ステップＳ１２）。印字形式が刻み印字でない場合、すなわち、通常印字である場合は、センサ部４１４から入力されるカバーユニット検出信号に基づいて、ドットインパクトヘッド２１によって印字が行われるプラテン３２３の刻み印字領域３２３ａに、カバーユニット４２４が配置されているか否かを判別し（ステップＳ１３）、配置されている場合は、ステップＳ１７に移行する。また、カバーユニット４２４が刻み印字領域３２３ａに配置されていない場合は、モータ駆動動作を制御するモータ駆動制御信号をモータ駆動制御部４１２に出力して、モータ駆動制御部４１２によりモータ部４１３を駆動制御させる。そして、このモータ駆動制御部４１２から入力される駆動信号によってモータ４２９Ａを駆動させ、モータ４２９Ａに連動される歯車４３０Ａを回転させて、カバーユニット４２４を前記刻み印字領域３２３ａの上部まで移動させ（ステップＳ１４）、ステップＳ１７に移行する。
【０１０１】
ステップＳ１２において印字形式が刻み印字である場合は、センサ部４１４から入力されるカバーユニット検出信号に基づいて、ドットインパクトヘッド２１によって印字が行われるプラテン３２３の刻み印字領域３２３ａに、カバーユニット４２４が配置されているか否かを判別し（ステップＳ１５）、配置されていない場合は、ステップＳ１７に移行する。また、カバーユニット４２４が刻み印字領域３２３ａに配置されている場合は、モータ駆動動作を制御するモータ駆動制御信号をモータ駆動制御部４１２に出力して、モータ駆動制御部４１２によりモータ部４１３を駆動制御させる。そして、このモータ駆動制御部４１２から入力される駆動信号によってモータ４２９Ｂを駆動させ、モータ４２９Ｂに連動される歯車４３０Ｂを回転させて、カバーユニット４２４を前記刻み印字領域３２３ａの上部以外の位置まで移動させ（ステップＳ１６）、ステップＳ１７に移行する。
【０１０２】
そして、ステップＳ１７において、第２の実施の形態において述べた通常印字及び刻み印字処理２のステップＳ７の印字動作処理、及び印字処理と同様の処理を行う。
【０１０３】
この印字処理において、ＣＰＵ２０２は、前記プラテン３２３の刻み印字領域３２３ａの上部にカバーユニット４２４が配置された場合には、そのプラテン３２３の印字領域３２３ａに挿入された用紙２６に、ドットインパクトヘッド２１によって通常印字処理を行わせる。また、前記プラテン３２３の刻み印字領域３２３ａの上部以外の位置にカバーユニット４２４が配置された場合には、そのプラテン３２３の刻み印字領域３２３ａに挿入された用紙２６に、ドットインパクトヘッド２１によって刻み印字処理を行わせる。
【０１０４】
なお、第４の実施の形態においては、カバーユニット４２４に接続されたモータ部４１３をモータ駆動制御部４１２によって駆動制御することにより、カバーユニット４２４をプラテン３２３の上部のカバーユニットレール４３１上において移動させるようにしたが、カバーユニット４２４にワイヤ等によって接続された歯車４３０Ａ、４３０Ｂを手動で回転させて、カバーユニット４２４をプラテン３２３の上部のカバーユニットレール４３１上において移動させるようにすることも可能である。
【０１０５】
以上のように、本第４の実施の形態のドットインパクトプリンタ４０１では、パーソナルコンピュータに接続され、プラテン３２３に刻み印字領域３２３ａが形成され、プラテン３２３の上部において移動自在のカバーユニット４２４が設けられ、そのカバーユニット４２４に接続されたモータ部４１３をモータ駆動制御部４１２によって駆動制御することにより、通常印字を行う時には、前記カバーユニット４２４をプラテン３２３の刻み印字領域３２３ａの上部へ移動させて、また、刻み印字を行う時には、前記カバーユニット４２４をプラテン３２３の刻み印字領域３２３ａの上部以外の位置へ移動させるようにしたため、刻み印字領域３２３ａが設けられたプラテン３２３の上部においてカバーユニット４２４を印字形式に応じて移動させることにより、そのプラテン３２３の刻み印字領域３２３ａに挿入された用紙２６に刻み印字及び通常印字を容易に行うことができる。
【０１０６】
したがって、パーソナルコンピュータに接続可能な汎用のドットインパクトプリンタにおいて、刻み印字領域が設けられたプラテンの上部におけるカバーユニットの印字形式に応じた移動により、通常印字と刻み印字を容易に行うことができ、金額以外の文字も刻み印字が可能となり、改竄を防ぐことができる。
【０１０７】
【発明の効果】
請求項１記載の発明の印字装置によれば、ドットインパクトプリンタのプラテンに刻みプレートを移動自在に装着したため、パーソナルコンピュータに接続可能な汎用のドットインパクトプリンタにおいて、プラテンの上部における刻みプレートを印字モードに応じて移動させることにより、通常印字と刻み印字を容易に行うことができ、金額以外の文字も刻み印字が可能となり改竄を防ぐことができる。
【図面の簡単な説明】
【図１】本発明を適用した第１の実施の形態のドットインパクトプリンタ１の要部構成を示すブロック図である。
【図２】（ａ）は、図１のドットインパクトプリンタ１のプリンタ駆動機構５の側面図であり、（ｂ）は、プリンタ駆動機構５の正面図である。
【図３】（ａ）は、図２の刻みユニット２４の平面図であり、（ｂ）は、刻みユニット２４の側面図である。
【図４】図３の刻み部２４１の刻みの形状を示す拡大断面図である。
【図５】（ａ）及び（ｂ）は、図３の刻み部２４１が形成される工程を示す拡大断面図であり、（ｃ）は、その工程により形成された刻み部２４１の拡大平面図である。
【図６】刻みの形状の例を示す図３の刻み部２４１の平面図であり、（ａ）は、縞状であり、（ｂ）は、桝目状であり、（ｃ）は、班点状である。
【図７】（ａ）は、刻みユニット２４がケース台２７に装着された時の刻みユニット２４及びケース台２７の平面図であり、（ｂ）は、刻みシート取付部２４３がバネ部材である場合の、刻みユニット２４がケース台２７に装着された時のプリンタ駆動機構５の側面図であり、（ｃ）は、バネ部材の刻みシート取付部２４３によりケース台２７に刻みユニット２４が装着された時の刻みユニット２４の拡大側面図である。
【図８】他の装着方法により刻みユニット２４がケース台２７に装着された時のプリンタ駆動機構５の側面図であり、（ａ）は、テープ８０を使用した装着方法の場合であり、（ｂ）は、接着剤８１を使用した装着方法の場合である。
【図９】他の装着方法により刻みユニット２４がケース台２７に装着された時のプリンタ駆動機構５の側面図であり、（ａ）は、ネジ８２を使用した装着方法の場合であり、（ｂ）は、ネジ８２とバネ部材を使用した装着方法である。
【図１０】本発明を適用した第２の実施の形態のドットインパクトプリンタ２０１の要部構成を示すブロック図である。
【図１１】図１０のドットインパクトプリンタ２０１のプリンタ駆動機構２０５、及びモータ部２１３の側面図である。
【図１２】図１０のＣＰＵ２０２により実行される通常印字及び刻み印字処理２を示すフローチャートである。
【図１３】本発明を適用した第３の実施の形態のドットインパクトプリンタ３０１の要部構成を示すブロック図である。
【図１４】（ａ）は、図１３のドットインパクトプリンタ３０１のプリンタ駆動機構３０５の側面図であり、（ｂ）は、プリンタ駆動機構３０５の正面図である。
【図１５】（ａ）は、図１４のカバーユニット３２４の平面図であり、（ｂ）は、カバーユニット３２４の側面図である。
【図１６】カバーユニット３２４がケース台２７に装着された時のプリンタ駆動機構３０５の側面図である。
【図１７】本発明を適用した第４の実施の形態のドットインパクトプリンタ４０１の要部構成を示すブロック図である。
【図１８】図１７のドットインパクトプリンタ４０１のプリンタ駆動機構４０５、及びモータ部４１３の側面図である。
【図１９】図１７のＣＰＵ２０２により実行される通常印字及び刻み印字処理４を示すフローチャートである。
【符号の説明】
１        ドットインパクトプリンタ
２        ＣＰＵ
３        入力装置
４        プリンタ駆動制御部
５        プリンタ駆動機構
６        通信制御部
７        表示装置
８        ＲＡＭ
９        記憶装置
１０      記憶媒体
１１      バス
２１      ドットインパクトヘッド
２２      用紙送りローラ
２３、３２３      プラテン
２４、２２４      刻みユニット
２５      インクリボン
２６      用紙
２７      ケース台
２８      ヘッド送りレール
２１２、４１２    モータ駆動制御部
２１３、４１３    モータ部
２１４、４１４    センサ部
２２９Ａ、２２９Ｂ    モータ
２３０Ａ、２３０Ｂ    歯車
２３１      刻みユニットレール
３２３ａ  刻み印字領域
３２４、４２４    カバーユニット
４２９Ａ、４２９Ｂ    モータ
４３０Ａ、４３０Ｂ    歯車
４３１    カバーユニットレール
【図１】
0003548880.tif 000002
【図２】
0003548880.tif 000003
【図３】
0003548880.tif 000004
【図４】
0003548880.tif 000005
【図５】
0003548880.tif 000006
【図６】
0003548880.tif 000007
【図７】
0003548880.tif 000008
【図８】
0003548880.tif 000009
【図９】
0003548880.tif 000010
【図１０】
0003548880.tif 000011
【図１１】
0003548880.tif 000012
【図１２】
0003548880.tif 000013
【図１３】
0003548880.tif 000014
【図１４】
0003548880.tif 000015
【図１５】
0003548880.tif 000016
【図１６】
0003548880.tif 000017
【図１７】
0003548880.tif 000018
【図１８】
0003548880.tif 000019
【図１９】
0003548880.tif 000020